(57)【要約】      （修正有）【課題】集電極配置に関して自由度を高くして大電力用に適したキャパシタを提供する。【解決手段】電解液１４に浸漬された正極用と負極用の２種類の電極間スペース、例えば電極ユニットの内外のスペース、で電解液を還流させる還流ポンプ３６を設ける。イオンの移動は電気的移動度に依存しないため、正極用電極と負極用電極は必ずしも個々の正極用電極と負極用電極が対になっていなくてもよい。それぞれ複数個の電極が集合した電極ユニット１６、１８として離れた位置でも自由に構成、配置される。【選択図】図１
2014075466.tif 000002
【特許請求の範囲】
【請求項１】
電解液を収容した電解液槽と、
前記電解液に浸漬され複数の電極を含み互いに電気的に接続された正極用電極と、
前記電解液に浸漬され複数の電極を含み互いに電気的に接続された負極用電極と、
前記正極用電極においても負極用電極においても個々の電極間スペースで前記電解液が移動するように前記電解液を還流させる還流機構と、
を備えた電気二重層キャパシタ。
【請求項２】
前記正極用電極と負極用電極はそれぞれ複数個の電極が集合した電極ユニットとして構成されており、電極は各電極ユニット内で互いに電気的に接続されており、
正極用電極ユニットと負極用電極ユニットは互いに離れた位置に接置されている請求項１に記載の電気二重層キャパシタ。
【請求項３】
前記正極用電極ユニットと負極用電極ユニットは、前記電解液槽内にそれぞれが複数ユニットずつ配置され、正極用電極ユニットどうしが電気的に接続され、負極用電極ユニットどうしも電気的に接続されている請求項２に記載の電気二重層キャパシタ。
【請求項４】
前記正極用電極と負極用電極は、個々の正極用電極と負極用電極が隣接するように正極用電極と負極用電極が交互に配置されている請求項１に記載の電気二重層キャパシタ。
【請求項５】
前記電極は垂直方向に配置されており、
前記還流機構は、前記電解液槽の下部で前記電極の下方に配置された電解液供給口、前記電解液槽の上部に設けられた電解液排出口、及び前記電解液排出口から排出された電解液を前記電解液供給口へ送り出す循環ポンプを備えており、前記電解液は電極間で下から上に向かって流れる請求項１から４のいずれかに記載の電気二重層キャパシタ。
【発明の詳細な説明】
【技術分野】
【０００１】
本発明は電気二重層キャパシタに関し、特に大電力用電気二重層キャパシタに関するものである。
【背景技術】
【０００２】
電気二重層キャパシタは従来小電力用の電子機器に使われているにすぎなかったが、最近はハイブリッド型自動車のスタート電源に使われるなど大電力方面にも広がってきた。
【０００３】
しかし、短時間に大電流を流せる長所がある反面、エネルギー密度が低いことが欠点になって、さらなる大電力への利用の展望は広がっていない。現在はエネルギー密度を上げるため化学電池とのハイブリッド化などの方向へのアイデアが登場しつつあるが、従来電気二重層キャパシタに補助的な役割しか与えられなかったもう１つの理由は、負荷をつないだ際、出力電圧電流が時間とともに直線的に低下することであった。もし、電気二重層キャパシタが本発明のように大容量になれば、サブユニットに分けて電圧調整を外部回路で行うことで、化学電池のように負荷をつないでも電圧、電流がある時間まで一定にすることが可能であり、独立した電池的機能値を有することになる。そうすれば、短時間に大電流の供給が可能であるという電気二重層キャパシタの本来の性質から化学電池に対して優位に立つこともできる。
【０００４】
電気二重層キャパシタは動作原理が簡単であり、効率を上げればコスト的にも有利であることが期待されるので、自動車向けのように積載重量や体積の制限がある用途よりも、むしろ据置き型の大電力用に向いている。最近自然エネルギーの利用が叫ばれ据置き型の大電力再生エネルギー利用施設も企画されているが、このためにはどうしても大電力貯蔵設備が必要である。
【０００５】
通常、電気二重層キャパシタは正負の極板の間にセパレータを入れ電解液に浸している。現在市販されている１００ファラドぐらいのキャパシタでも極間距離は小さく、１ｍｍ以下である。通常、電気化学電池では集電極の間にかかる電界は液中のイオンを輸送する手段ともなっているが、同時に電界は電極板から電解液中へ電荷移動を起こさせる役割も兼ねているので極性の異なる電極板を対向させて配置した正負交互配置の並行電極板の形式は絶対に必要である。従来の電気二重層キャパシタでもこの発想の範囲内にあり正負交互配置の並行電極板の形式を採用している（特許文献１、２参照。）。
【先行技術文献】
【特許文献】
【０００６】
【特許文献１】特開平１１−１２１３０５号公報
【特許文献２】特開２００９−８１４３４号公報
【発明の概要】
【発明が解決しようとする課題】
【０００７】
本発明は、電極配置として正負交互配置の並行集電極板だけでなく、他の配置形式も採用することができて電極配置に関して自由度の高く、大電力用にするのも容易な電気二重層キャパシタを提供することを目的とするものである。
【課題を解決するための手段】
【０００８】
本発明の電気二重層キャパシタは、電解液を収容した電解液槽と、電解液に浸漬され複数の電極を含み互いに電気的に接続された正極用電極と、電解液に浸漬され複数の電極を含み互いに電気的に接続された負極用電極と、正極用電極においても負極用電極においても個々の電極間スペースで電解液が移動するように電解液を還流させる還流機構とを備えている。
【０００９】
電解液としては水系電解液と非水系電解液のいずれも使用することができる。水系電解液としては、例えばＫＣｌ、ＮａＣｌ、ＣａＣｌ2などの１価イオン又は多価イオンの水溶液を使用することができる。非水系電解液としては、例えば有機溶媒にプロピレンンカーボネート、支持電解質にテトラエチルアンモニウムテトラフルオロボレートなどの四級アンモニウム塩を用いた有機電解液を使用することができる。有機電解液は、使用可能電圧、したがって貯蔵エネルギーを上昇させることができる利点がある。しかし、電解液の種類はこれら例示のものに限定されるものではない。例えば、陰イオンと陽イオンがイオン結合状態で存在する液体であるイオン性液体など、従来の電気二重層キャパシタに使用されている電解液であればいずれも使用することができる。
【００１０】
電極の形状は、特に限定されるものではなく、板状のほか、棒状やメッシュ状であってもよい。板状電極は集電極として金属平板又はそれに複数の穴をあけた基板を使用したものである。棒状電極は集電極として金属棒からなる基体を使用したものである。メッシュ状電極は集電極として金網を平板状にした基体を使用したものである。電極はイオン吸着表面積が大きいほど好ましいことから、集電極である金属の基板や基体の表面に、その表面よりも大きい実効表面積をもつカーボン系のイオン吸着層が形成されたものが好ましい。カーボン系のイオン吸着層としては、活性炭粒子や活性炭繊維などの活性炭材料、又はカーボンファイバやカーボンナノチューブが好ましい。カーボンファイバやカーボンナノチューブはイオン吸着層の表面積をより大きくすることができるので、電極体積を小さくして小型で大電力用の電気二重層キャパシタの実現のためにより好都合である。
【００１１】
電気二重層キャパシタでは電極と電解液との間で電荷移動をしないで、界面で正負の電荷がクーロン力により向きあうだけであるから、単に電解液中のイオンを電極の近くにもってくる機構があればよく、本発明ではその機構が還流機構である。この場合、電解液をゆるやかに還流させるだけでよい。例えば、板状集電極の表面に活性化カーボン膜が形成された電極板のように、イオンが吸着する実効面積が広く、しかも電解液中のイオンの電気泳動速度が遅い（特に有機系溶液のイオンの電気泳動速度は遅い）場合は、還流は特に有効である。ここで、「ゆるやかに」というのは、電解液の移動速度が１ｍｍ／秒以下程度という意味である。そのような低速度でも１Ｖ／ｃｍの電界下でのイオン移動速度に比べて十分に速い。例えば、有機系溶液のイオンより遥かに速い水溶液中のイオンの場合でも、１Ｖ／ｃｍの電界下でのイオン移動速度は１×１０-3ｃｍ／秒程度にすぎないからである。
【００１２】
このように電解液の還流により電解液中のイオンを移動させる本発明では、従来の電気二重層キャパシタのように電界によるイオンの電気移動度に依存しないため、電極の配置と形状に関し、従来考えられなかった自由度が生ずることになる。これが本発明の最大の利点である。必要条件としては電解液中に正負の電極があるだけでよく、電解液中のある場所ではある定まった電位を示す筈で、その場所での電位Ｖａと電極の電位Ｖ０との差でイオンは電極に泳動してくるが、電極のすぐ近傍のイオンには電極の余剰電子との間のクーロンカが働き、電気二重層ができる。この機構は表面荷電したコロイド粒子の周辺にイオンが引き付けられる機構と同じである。そのため、電解液内を可能なかぎり正負の２個の系統の電極で埋め尽くした中に電解液を還流させ、電極界面にイオンを送り届けてやればよい。この場合、極板の配置と形状は自由である。このような電極配置では、各電極は集電極の両面に例えば活性炭を固定することが可能であり、これは従来のように集電極の片面しか利用できなかった電気二重層キャパシタと異なり、イオン吸着能力、したがって電荷蓄積能力は２倍になることを意味する。
【００１３】
好ましい形態では、例えば後で説明する図１の実施例に示されるように、正極用電極と負極用電極はそれぞれ複数個の電極が集合した電極ユニットとして構成されており、電極は各電極ユニット内で互いに電気的に接続されている。そして、正極用電極ユニットと負極用電極ユニットは互いに離れた位置に設置されている。
【００１４】
この形態では、例えば後で説明する図３の実施例に示されるように、正極用電極ユニットと負極用電極ユニットは、電解液槽内にそれぞれが複数ユニットずつ配置されていてもよい。この場合は、正極用電極ユニットどうしが電気的に接続され、負極用電極ユニットどうしも電気的に接続されている。
【００１５】
他の形態では、例えば後で説明する図４の実施例に示されるように、正極用電極と負極用電極は、個々の正極用電極と負極用電極が隣接するように正極用電極と負極用電極が交互に配置されている。
【００１６】
電極は好ましくは垂直方向に配置されており、その場合の好ましい還流機構の一例は、電解液槽の下部で電極の下方に配置された電解液供給口、電解液槽の上部に設けられた電解液排出口、及び電解液排出口から排出された電解液を電解液供給口へ送り出す循環ポンプを備えているものである。そして、電解液は電極間で下から上に向かって流れる。
【発明の効果】
【００１７】
本発明の電気二重層キャパシタでは、電解液槽の電極間スペースで電解液を還流させるようにしたので、電極配置に関して自由度が高くなる。またその結果として電極の数を増やすことが容易になるので大電力用に適したものとなる。
【図面の簡単な説明】
【００１８】
【図１】一実施例を示す図であり、（Ａ）は概略断面図、（Ｂ）は（Ａ）のＡ−Ａ線位置での断面図、（Ｃ）は同実施例で用いられている電極板の１枚を示す平面図、（Ｄ）は同電極板の１枚を示す断面図である。
【図２】同実施例の上面図である。
【図３】（Ａ）、（Ｂ）は正極用と負極用にそれぞれ複数の電極ユニットを備えた実施例の電気接続の例を示す結線図である。
【図４】さらに他の実施例を示す概略断面図である。
【発明を実施するための形態】
【００１９】
一実施例を図１と図２により説明する。絶縁性材質からなり、上部が開口した箱型の電解液槽１２内に電解液１４が収容されている。電解液槽１２の開口は絶縁性材質からなる蓋１３により閉じられている。
【００２０】
電解液槽１２の上部には４つの側面の同じ高さの位置に電解液排出口１５ａ〜１５ｄが設けられ、それらの排出口１５ａ〜１５ｄは電解液槽１２の外部に配置された電解液タンク１７に導かれている。後で説明するように、電解液槽１２には下部から電解液１４が供給されるが、電解液槽１２内では排出口１５ａ〜１５ｄに到達した電解液１４は排出口１５ａ〜１５ｄから電解液タンク１７に排出されるので、電解液槽１２内の電解液１４の液面は排出口１５ａ〜１５ｄの高さの位置に維持される。排出口１５ａ〜１５ｄには電解液槽１２の外側に開閉弁１９ａ〜１９ｄが設けられている。この開閉弁１９ａ〜１９ｄは４つの排出口１５ａ〜１５ｄを選択して電解液槽１２内の電解液１４の流れを調整できるようにしたものであるが、常に４つの排出口１５ａ〜１５ｄから電解液１４を排出させる場合には開閉弁１９ａ〜１９ｄを設ける必要はない。
【００２１】
電解液１４は上部にいくらかの空間が残るような液面の高さになるように、排出口１５ａ〜１５ｄの接置位置の高さが設定されている。
【００２２】
電解液１４は、例えば高濃度のイオンを含むＫＣｌ水溶液である。その濃度は特に限定されるものではないが、高濃度の方がイオン濃度が高くなり、好都合である。他にＫＣｌ水溶液に代えてＮａＣｌやＣａＣｌ2などの水溶液を使用することもでき、また、有機電解液やイオン性液体を使用することもできる。
【００２３】
電解液１４に正極用電極ユニット１６と負極用電極ユニット１８が浸漬されている。電解液１４の液面は排出口１５ａ〜１５ｄの高さの位置であり、電解液槽１２内の上部にいくらかの空間がある。電極ユニット１６、１８は、それぞれの上部の一部が電解液１４から露出する状態に浸漬されている。正極用電極ユニット１６と負極用電極ユニット１８は、この実施例ではそれぞれ１ユニットずつ設けられている。
【００２４】
電極ユニット１６、１８はそれぞれ複数の電極板２０が集合して構成されたものであり、各電極ユニット１６、１８内ではそれぞれの電極板２０が互いに電気的にも機械的にも接続されるように一体化されている。電極板２０はその平面図が（Ｃ）に示されるように矩形であり、例えば１辺が例えば１ｍの正方形をなしている。電極板２０には好ましくは電解液が通過する複数の孔２２があけられている。孔２２の形状、大きさ、配置間隔は特に限定されるものではない。孔２２の形状は円形でも矩形でもよく、大きさは例えば２ｃｍ程度が適当であるが、それよりも大きくても小さくてもよい。孔２２は適当な間隔で配置されており、その間隔は例えば５ｃｍ又はもっと広い間隔でもよく、その間隔は一定であってもよく、一定でなくてもよい。また、この実施例では電解液は下から上に向かう方向に流れるように還流されるので、ある場合には電極を貫通する電解液の流れは必須ではない。そのため、電極板２０の穴２２はなくてもよい。
【００２５】
電極板２０は、図１（Ｄ）に示されるように、厚さが例えば１ｍｍのアルミニウム板を基板２０ａとして、その基板２０ａの両面上に活性化カーボン膜２０ｂを例えば０．５ｍｍの厚さに固定したものである。活性化カーボン膜２０ｂは、例えば活性炭をバインダとともに基板２０ａ上に塗布して硬化させたものである。
【００２６】
各電極ユニット１６、１８はそのような電極板２０を一定間隔、例えば２−３ｍｍ間隔で互いに平行に複数の電極板２０を垂直方向に配置して固定したものである。各電極ユニット１６、１８に含まれる電極板２０の数が約１０枚の場合、各電極ユニット１６、１８の厚みは約４ｃｍである。各電極ユニット１６、１８はそれぞれのユニットに含まれる電極板２０の少なくとも上端部を金属板、例えばアルミニウム板に溶接により固着したものである。図１の実施例では電極板２０の下端側も連結用金属板、例えばアルミニウム板に溶接により固着されている。各電極ユニット１６、１８の上端側を固定する金属板は表面を絶縁処理してもよいが、電解液１４と接触しないので絶縁処理をしなくてもよい。各電極ユニット１６、１８の下端側も連結用金属板で固定する場合は、その連結用金属板は電解液１４と接触しているのでその表面を絶縁被膜で被覆しておくのが好ましい。
【００２７】
このようにユニットに含まれる電極板２０の上端側と下端側を固定することによりユニットに含まれる電極板２０の配置が安定する。各電極ユニット１６、１８はそれぞれの少なくとも上端側が金属板で固定されていることにより電気的にも接続され、各電極ユニット１６、１８に含まれるそれぞれの電極板２０は同電位となる。
【００２８】
この実施例では各電極ユニット１６、１８内の電極板２０は同電位であるので、電極ユニット１６、１８内には絶縁のためのセパレータは設ける必要がない。電極ユニット１６と１８の間には絶縁のためのセパレータを設けてもよい。
【００２９】
各電極ユニット１６、１８の下端側に連結用金属板を設けた場合には、その連結用金属板には電解液１４を下から上方向に流すための貫通した穴又は溝が設けられている。
【００３０】
電解液槽１２内の下部で電極ユニット１６、１８の下方には電解液供給口を構成するパイプ３２ａ、３２ｂが互いに平行に配置されている。パイプ３２ａ、３２ｂは電極ユニット１６、１８の電極板２０の配列方向に沿って延びる方向に配置され、電極ユニット１６、１８の全長にわたる長さをもっている。パイプ３２ａ、３２ｂはそれぞれの上面に多数の穴３４が開けられており、それらの穴３４が電解液供給口となっている。パイプ３２ａ、３２ｂは、それぞれの中央部の側面に開けられた穴３５からそれぞれのパイプ３７ａ、３７ｂを介して、電解液槽１２の外部に配置された循環ポンプ３６に接続されている。循環ポンプ３６は電解液を電解液タンク１７の下部からパイプ３７ａ、３７ｂを経て電解液槽１２内のパイプ３２ａ、３２ｂに供給する。パイプ３２ａ、３２ｂの数は２本に限らず、１本でも３本以上でもよい。
【００３１】
循環ポンプ３６としては、電解液がポンプの金属部分に直接接触しないポンプであればどのようなポンプも使用することができる。そのようなポンプとして、例えばダイアフラムポンプを挙げることができる。
【００３２】
この実施例では、循環ポンプ３６、電解液供給口をもつパイプ３２ａ、３２ｂ、電解液排出口１５ａ〜１５ｄ、及び電解液タンク１７が循環機構を構成している。
【００３３】
各電極ユニット１６、１８は電極板２０を固着している端部が上端と下端になるように配置されて、それぞれの上端部が電解液槽１２の蓋１３の内側に当接して固定されている。電解液槽１２の内側の幅、すなわち図１（Ａ）では紙面垂直方向の寸法、図１（Ｂ）では横方向の寸法、は電極板２０の横方向の寸法より大きく、電解液槽１２に電極ユニット１６、１８を収納した状態で、図１（Ｂ）に示されるように、電解液槽１２の内側の側面に隙間がある。
【００３４】
各電極ユニット１６、１８の上面には電極端子２８、３０が設けられており、それらの電極端子２８、３０が電解液槽１２の蓋１３の上面を貫通して外部に延在している。蓋１３から突出した電極端子２８、３０は充電時と放電時に外部回路に接続される外部接続端子となる。
【００３５】
電極端子２８、３０の外面にはネジが形成されており、電解液槽１２から突出した電極端子２８、３０のネジをナットで固定することにより、電極ユニット１６、１８の上端部が電解液槽１２の蓋１３の内側に当接した状態で、電極ユニット１６、１８が電解液槽１２内に固定されている。
【００３６】
この実施例において、充電時は外部接続端子２８、３０を太陽光発電装置や他の発電装置の給電線に接続して電流を供給するとともに、ポンプ３６を作動させる。ポンプ３６の作動により、電解液１４は電解液タンク１７からポンプ３６によりパイプ３２ａ、３２ｂに送られ、パイプ３２ａ、３２ｂの穴から上方向に吐出されて電極板２０間を上方向に流れ、電解液排出口１５ａ〜１５ｄを経て電解液タンク１７へ排出されるように、電解液１４が還流させる。電解液１４の還流により電解液は電極板２０の間を通って流れ、電解液１４中のイオンを電極板２０の表面に運んでいき、外部から供給された電流が電極板２０の表面界面に速やかに電気二重層を形成して充電がなされていく。
【００３７】
放電時は外部接続端子２８、３０を家庭や施設の負荷に接続する。放電時の動作は従来の電気二重層キャパシタと同様である。放電時にもポンプ３６を作動させてもよく、させなくてもよい。充電も放電もしないときはポンプ３６は作動させる必要がない。
【００３８】
図１、図２の実施例は電解液槽１２内に正極用電極ユニット１６と負極用電極ユニット１８がそれぞれ１ユニットずつ配置されたものであるが、電解液槽１２内に配置される電極ユニットの数はそれに限ったものではなく、正極用電極ユニット１６と負極用電極ユニット１８を複数ユニットずつ配置してもよい。
【００３９】
図３は電解液槽１２内に正極用電極ユニット１６と負極用電極ユニット１８を２ユニットずつ配置した実施例を表わしたものである。
【００４０】
図３（Ａ）の実施例では正極用電極ユニット１６ａ、負極用電極ユニット１８ａ、正極用電極ユニット１６ｂ、負極用電極ユニット１８ｂの順になるように、正極用電極ユニットと負極用電極ユニットが交互に配置されている。正極用電極ユニット１６ａと１６ｂが相互に接続されて外部接続端子２８に接続され、負極用電極ユニット１８ａと１８ｂが相互に接続されて外部接続端子３０に接続されている。
【００４１】
図３（Ｂ）の実施例では正極用電極ユニット１６ａと１６ｂが隣接して配置され、負極用電極ユニット１８ａと１８ｂが隣接して配置され、正極用電極ユニット１６ａと１６ｂが相互に接続されて外部接続端子２８に接続され、負極用電極ユニット１８ａと１８ｂが相互に接続されて外部接続端子３０に接続されている。
【００４２】
正極用電極ユニット１６と負極用電極ユニット１８を３ユニット以上ずつ配置する場合も図３（Ａ）又は（Ｂ）と同様に配置して外部接続端子２８、３０に接続すればよい。このように、電極ユニットはいくらでも同じものを連結してキャパシタの容量を増やすことができる。
【００４３】
図４は電極配置として正負交互配置の並行電極板構造とした実施例を表わしたものである。
【００４４】
電極ユニット４６、４８を構成する電極板２０は図１（Ｂ）、（Ｃ）に示されたものである。各電極ユニット４６、４８はそのような電極板２０を一定間隔、例えば４ｍｍ間隔で互いに平行に配置して固定したものであり、電極ユニット４６の電極板２０と電極ユニット４８の電極板２０が交互に等間隔で、すなわち互いに２ｍｍ間隔で配置されている。電解液槽１２内には電解液１４が収容されている。電解液１４の循環機構は図１、図２の実施例と同じであるので、詳細な図示と説明は省略する。
【００４５】
電極ユニット４６、４８はそれぞれのユニットに含まれる電極板２０の一端部が連結用金属板、例えばアルミニウム板に溶接により固着されている。電極板２０の間隔を一定に保つために各電極ユニット４６、４８の側面側においても電極板２０が連結用金属板、例えばアルミニウム板に溶接により固着されていることが好ましい。各電極ユニット４６、４８はそれぞれの少なくとも一端側が連結用金属板で固定されていることにより電気的にも連結され、各電極ユニット４６、４８に含まれるそれぞれの電極板２０は同電位となる。電極板２０の構造は図１（Ｄ）に示されたものと同様であり、アルミニウム基板の両面上に活性化カーボン膜を固定したものである。連結用金属板で電解液と接触するものはその表面を絶縁被膜で被覆しておくのが好ましい。
【００４６】
各電極ユニット４６、４８は電極板２０が垂直方向を向き、電極ユニット４６では上端面が電解液槽１２の内側上面に当接して固定されている。電極ユニット４６を電解液槽１２に固定するために、図１の実施例と同様に電極ユニット４６の上端面に電極端子２８が設けられ、その電極端子２８が電解液槽１２の蓋１３の上面から突出している。電極端子２８にはネジが形成され、蓋１３の外部で電極端子２８のネジがナットで固定されていることにより、電極ユニット４６が蓋１３に固定されている。電極ユニット４８は下端に電極板２０を固着している端部が位置するように配置され、電極ユニット４８は支持部材２６によって電解液槽１２の内側底面から離れた位置に固定されている。
【００４７】
電極ユニット４８の電極端子３０も電解液槽１２の蓋１３上に配置されている。蓋１３上の電極端子２８、３０が充電時と放電時に外部回路に接続される外部接続端子となっている。
【００４８】
以上の実施例では、電解液排出口１５ａ〜１５ｄを電解液槽１２の上端から下げた位置に配置することにより電解液槽１２内で電解液１４上に空気層を設けている。しかし、電解液排出口１５ａ〜１５ｄを電解液槽１２の上端に設けることにより、そのような空気層を設けないで電解液槽１２内を電解液１４で満たすようにしてもよい。
【符号の説明】
【００４９】
１２      電解液槽
１４      電解液
１５ａ〜１５ｄ      電解液排出口
１６      正極用電極ユニット
１８      負極用電極ユニット
２０      電極板
２８、３０      電極端子
３２ａ、３２ｂ      電解液供給口用のパイプ
３６      循環ポンプ
【図１】
2014075466.tif 000003
【図２】
2014075466.tif 000004
【図３】
2014075466.tif 000005
【図４】
2014075466.tif 000006